(57)【要約】【課題】駆動システム上の負荷を上げることなく、隣接する分割領域間の境界部分での急峻な輝度変化を緩和することができるバックライト装置、これを搭載した表示装置、電子機器及びバックライトの駆動方法を提供すること。【解決手段】ブロック輝度値計算処理部５１は、輝度信号検出回路により検出された輝度信号に基づき、４０個の単位光源ブロック６、すなわちすべての単位光源ブロック６ごとの輝度値を算出する。輝度値計算処理部５２は、算出された代表輝度値に基づき、代表光源以外の各光源であって、代表光源５Ａの周囲に配置された各光源５Ｂの輝度値を算出する。全輝度値出力部５３は、算出された代表光源５Ａの代表輝度値のデータ、算出された各光源５Ｂの全輝度値のデータを、バックライト駆動部１０に出力する。これにより、隣接する単位光源ブロック６間の境界部分での急峻な輝度変化を緩和することができる。【選択図】図４
2010091729.tif 000002
【特許請求の範囲】
【請求項１】
複数の光源が１つのブロックとして構成された単位光源ブロックを有し、複数の前記単位光源ブロックが、表示パネルの画面に対応するように配列されて構成された光源ユニットと、
前記画面で表示されるべき映像信号に応じて、前記単位光源ブロックごとの代表輝度であって、前記複数の光源のうち少なくとも１つの代表された光源の輝度であるブロック代表輝度値を設定し、前記設定されたブロック代表輝度値に基づき、前記複数の光源のうち、前記代表光源以外の光源の各輝度値を設定する設定手段と、
前記設定されたブロック代表輝度値及び前記設定された代表光源以外の光源の各輝度値により、前記光源ユニットの各光源を駆動する駆動手段と
を具備するバックライト装置。
【請求項２】
請求項１に記載のバックライト装置であって、
前記代表光源以外の光源は、前記１つの単位光源ブロック内で前記代表光源の周囲に配置され、
前記設定手段は、前記設定されたブロック代表輝度値に基づく内挿及び外挿による計算により、前記代表光源以外の光源の前記各輝度値を求めるバックライト装置。
【請求項３】
請求項１及び２のうちいずれか１項に記載のバックライト装置であって、
前記駆動手段は、前記単位光源ブロックごとに、前記代表光源及び前記代表光源以外の光源を駆動するドライバをそれぞれ有し、
前記各ドライバのうち少なくとも１つは、前記設定されたブロック代表輝度値及び前記設定された代表光源以外の光源の各輝度値により、前記代表光源及び前記代表光源以外の光源を時分割で駆動するバックライト装置。
【請求項４】
画面を有し、入力される映像信号に応じて画面に映像を表示する表示パネルと、
複数の光源が１つのブロックとして構成された単位光源ブロックを有し、複数の前記単位光源ブロックが、前記画面に対応するように配列されて構成された光源ユニットと、前記映像信号に応じて、前記単位光源ブロックごとの代表輝度であって、前記複数の光源のうち少なくとも１つの代表された光源の輝度であるブロック代表輝度値を設定し、前記設定されたブロック代表輝度値に基づき、前記複数の光源のうち、前記代表光源以外の光源の各輝度値を設定する設定手段と、前記設定されたブロック代表輝度値及び前記設定された代表光源以外の光源の各輝度値により、前記光源ユニットの各光源を駆動する駆動手段とを有するバックライトと
を具備する表示装置。
【請求項５】
画面を有し、入力される映像信号に応じて画面に映像を表示する表示パネルと、
複数の光源が１つのブロックとして構成された単位光源ブロックを有し、複数の前記単位光源ブロックが、前記画面に対応するように配列されて構成された光源ユニットと、前記映像信号に応じて、前記単位光源ブロックごとの代表輝度であって、前記複数の光源のうち少なくとも１つの代表された光源の輝度であるブロック代表輝度値を設定し、前記設定されたブロック代表輝度値に基づき、前記複数の光源のうち、前記代表光源以外の光源の各輝度値を設定する設定手段と、前記設定されたブロック代表輝度値及び前記設定された代表光源以外の光源の各輝度値により、前記光源ユニットの各光源を駆動する駆動手段とを有するバックライトと
を具備する表示装置を搭載した電子機器。
【請求項６】
複数の光源が１つのブロックとして構成された単位光源ブロックを有し、複数の前記単位光源ブロックが、表示パネルの画面に対応するように配列されて構成された光源ユニットを備えたバックライトの駆動方法であって、
前記画面で表示されるべき映像信号に応じて、前記単位光源ブロックごとの代表輝度であって、前記複数の光源のうち少なくとも１つの代表された光源の輝度であるブロック代表輝度値を設定し、
前記設定されたブロック代表輝度値に基づき、前記複数の光源のうち、前記代表光源以外の光源の各輝度値を設定し、
前記設定されたブロック代表輝度値及び前記設定された代表光源以外の光源の各輝度値により、前記光源ユニットの前記各光源を駆動する
バックライトの駆動方法。
【発明の詳細な説明】
【技術分野】
【０００１】
本発明は、例えば液晶パネル等に用いられるバックライト装置、これを搭載した表示装置、電子機器及びバックライトの駆動方法に関する。
【背景技術】
【０００２】
液晶ディスプレイにおいては、液晶パネルの画素が発光しないため、液晶パネルの背面側に複数の光源を有する、いわゆる直下型のバックライトが配置されている。そのバックライトは液晶パネルの背面を照らして画像を表示させるようにしている。
【０００３】
このような直下型のバックライトでは、部分駆動方式が採用される。部分駆動方式は、上記バックライトを構成する各光源に対応させて、映像信号の１フレーム分の画像を複数の領域に分割し、それぞれの分割領域ごとの輝度情報に応じて、各光源の輝度を制御する方式である。（例えば、特許文献１参照。）。これにより、バックライトの消費電力が軽減され、また表示画面におけるコントラスト比が高まる。
【０００４】
近年においては、液晶ディスプレイの薄型化が求められている。上記した直下型のバックライトを用いた液晶ディスプレイでは、その薄型化を実現するために、液晶パネル及びバックライト間距離を小さくする必要がある。しかし、各光源から出射される光は拡散光であるので、その距離が小さくなると、各光源からの光の、液晶パネル上での照射面積が小さくなり、原画像の忠実な再現が難しくなる。そこで、液晶パネル全体にわたるような照射面積を確保するために、バックライトに含まれる光源の数を増やし、上記分割された画面の各領域を照らす光源が、複数の光源からなるような構成が考えられる。
【０００５】
このように一つの分割領域に複数の光源が対応するバックライトにおいて、各光源から液晶パネルへ向かう光束同士が液晶パネル及びバックライト間で重ならない程度に、液晶パネル及びバックライト間の距離が設定された場合に、次のような問題が生じる。
【０００６】
【特許文献１】特開２００７−２８６６２７号公報（段落[０００４]）
【発明の開示】
【発明が解決しようとする課題】
【０００７】
例えば、分割領域ごとに輝度が異なるように各光源が発光する場合、液晶パネル及びバックライト間の距離が小さいほど、つまり、各光源からの液晶パネルへの照射面積が小さいほど、隣接する分割領域間の境界での光の輝度変化が急峻となる。これは、液晶パネル及びバックライト間の距離が小さいほど、上記照射面積が小さくなり、分割領域ごとの液晶パネルでの照度分布の均一性が増すためであると考えられる。逆に、液晶パネル及びバックライト間の距離が大きいほど、上記照射面積が大きくなり、分割領域ごとの液晶パネルでの照度分布の均一性が低下するので、隣接する分割領域間の境界では光がぼかされ、輝度変化が緩やかになると考えられる。
【０００８】
すなわち、液晶パネル及びバックライト間の距離が小さいほど、分割領域間の境界部分において、滑らかな輝度変化が表現されず、原画像の忠実な再現が行われない可能性が生じる。この問題を解決するために、各分割領域を小さくし、その各領域を照らす光源を一つの光源からなるようにバックライトが構成されることが考えられる。しかしその場合においては、新たな演算回路の構築や、配線の設置等が必要となり、駆動システム上の負荷が上がる。
【０００９】
以上のような事情に鑑み、本発明の目的は、駆動システム上の負荷を上げることなく、隣接する分割領域間の境界部分での急峻な輝度変化を緩和することができるバックライト装置、これを搭載した表示装置、電子機器及びバックライトの駆動方法を提供することにある。
【課題を解決するための手段】
【００１０】
上記目的を達成するため、本発明の一形態に係るバックライト装置は、光源ユニットと、設定手段と、駆動手段とを具備する。  
前記光源ユニットは、複数の光源が１つのブロックとして構成された単位光源ブロックを有し、複数の前記単位光源ブロックが、表示パネルの画面に対応するように配列されて構成されている。  
前記設定手段は、前記画面で表示されるべき映像信号に応じて、前記単位光源ブロックごとの代表輝度であって、前記複数の光源のうち少なくとも１つの代表された光源の輝度であるブロック代表輝度値を設定し、前記設定されたブロック代表輝度値に基づき、前記複数の光源のうち、前記代表光源以外の光源の各輝度値を設定する。  
前記駆動手段は、前記設定されたブロック代表輝度値及び前記設定された代表光源以外の光源の各輝度値により、前記光源ユニットの各光源を駆動する。
【００１１】
すなわち、設定手段は、ブロック代表輝度値に基づき、画面に表示されるべき映像信号の隣接する分割領域間、つまり単位光源ブロック間の境界部分での急峻な輝度変化を緩和するように、代表光源以外の光源の各輝度値を設定することができる。
【００１２】
例えば、前記代表光源以外の光源が、前記１つの単位光源ブロック内で前記代表光源の周囲に配置されている場合、前記設定手段は、前記設定されたブロック代表輝度値に基づく内挿及び外挿による計算により、前記代表光源以外の光源の前記各輝度値を求めてもよい。
【００１３】
前記駆動手段は、前記単位光源ブロックごとに、前記代表光源及び前記代表光源以外の光源を駆動するドライバをそれぞれ有してもよい。その場合、前記各ドライバのうち少なくとも１つは、前記設定されたブロック代表輝度値及び前記設定された代表光源以外の光源の各輝度値により、前記代表光源及び前記代表光源以外の光源を時分割で駆動してもよい。
【００１４】
時分割で代表光源及び前記代表光源以外の光源が駆動されることにより、ドライバの数を減らすことができる。
【００１５】
本発明の一形態に係る表示装置は、表示パネルと、バックライトとを具備する。  
表示パネルは、画面を有し、入力される映像信号に応じて画面に映像を表示する。  
バックライトは、上述した構成のものが用いられればよい。
【００１６】
本発明の一形態に係る電子機器は、上記表示装置を搭載したものである。
【００１７】
本発明の一形態に係るバックライトの駆動方法は、複数の光源が１つのブロックとして構成された単位光源ブロックを有し、複数の前記単位光源ブロックが、表示パネルの画面に対応するように配列されて構成された光源ユニットを備えたバックライトの駆動方法である。  
前記画面で表示されるべき映像信号に応じて、前記単位光源ブロックごとの代表輝度であって、前記複数の光源のうち少なくとも１つの代表された光源の輝度であるブロック代表輝度値が設定される。  
前記設定されたブロック代表輝度値に基づき、前記複数の光源のうち、前記代表光源以外の光源の各輝度値が設定される。  
前記設定されたブロック代表輝度値及び前記設定された代表光源以外の光源の各輝度値により、前記光源ユニットの前記各光源が駆動される。
【発明の効果】
【００１８】
以上のように、本発明によれば、駆動システム上の負荷を上げることなく、隣接する分割領域間の境界部分での急峻な輝度変化を緩和することができる。
【発明を実施するための最良の形態】
【００１９】
以下、本発明の実施の形態を図面を参照しながら説明する。
【００２０】
図１は、本発明の一実施形態に係る表示装置の構成を示す図である。
【００２１】
表示装置１００は、映像を表示する表示パネルとしての液晶パネル４と、液晶パネル４の背面側に配置されたバックライト２と、バックライト２及び液晶パネル４に対して各種の制御を行う制御部３とを備えている。
【００２２】
液晶パネル４は、画面を含む液晶デバイス１と、液晶デバイス１に表示駆動信号を入力するソースドライバ２１及びゲートドライバ２２とを有している。
【００２３】
図２は、バックライト２の構成を示す平面図である。バックライト２は、基板２３と、液晶デバイス１の画面に対応するように、つまり画面に沿って基板２３上にマトリクス状に配置された複数の光源５とを有する。バックライト２は、例えば基板２３上で仮想的に複数の領域に分割された単位光源ブロック６を有し、１つの単位光源ブロック６は、複数の光源５がマトリクス状に配置されて構成されている。この１つの単位光源ブロック６に含まれる光源５の数は例えば９個であるが、これに限られず何個でもよい。
【００２４】
複数の単位光源ブロック６の数は、典型的には、基板２３の垂直方向に５個及び水平方向に８個、合計４０個である。しかし、各単位光源ブロック６は、このような分割のされ方に限られないし、また単位光源ブロック６の個数は何個でもよい。
【００２５】
基板２３は、１枚の基板で構成されていてもよいし、複数の領域に分割された単位光源ブロック６ごとに基板が用意され、それらの基板がマトリクス状に並べられて、基板２３が構成されてもよい。
【００２６】
光源５としては、典型的にはＬＥＤ（Light Emitting Diode）が用いられる。本実施形態では、光源５として、例えば図示しないＬＥＤチップが半球レンズの形状の樹脂で封止されたものが用いられるが、封止部の形状は、レンズ形状でなくてもよい。レンズ形状の封止部材が設けられることにより、所望の輝度の配光特性を得ることができる。
【００２７】
図３は、上記制御部３の構成を示すブロック図である。
【００２８】
制御部３は、映像信号検出回路７、発光輝度設定部８、液晶パネル駆動制御部９、バックライト駆動部１０を備えている。
【００２９】
映像信号検出回路７は、映像信号２４のうち輝度信号を検出する輝度信号検出回路７ａと、色信号を検出する色信号検出回路７ｂとを有する。
【００３０】
液晶パネル駆動制御部９は、輝度信号検出回路７ａにより検出された輝度信号、及び色信号検出回路により検出された色信号に基づいて、上記ソースドライバ２１及びゲートドライバ２２にデータ信号及び制御信号等を出力する。ソースドライバ２１及びゲートドライバ２２は、これらデータ信号及び制御信号等を受けて、上記のように液晶デバイス１を駆動する。
【００３１】
図４は、図３に示した発光輝度設定部８及びバックライト駆動部１０等の構成を示すブロック図である。
【００３２】
発光輝度設定部８は、ブロック輝度値計算処理部５１、輝度値計算処理部５２及び全輝度値出力部５３を含む。
【００３３】
ブロック輝度値計算処理部５１は、輝度信号検出回路７ａにより検出された輝度信号に基づき、４０個の単位光源ブロック６、すなわちすべての単位光源ブロック６ごとの輝度値を算出する。
【００３４】
ここで、すべての単位光源ブロック６の輝度値とは、１つの単位光源ブロック６中の９個の光源５のうち、代表された少なくとも１つの光源５（以下、代表光源という。）の輝度値であり、これを以下、代表輝度値という。例えば図５に示すように、１つの単位光源ブロック６中の９個の光源５のうち、中央に配置された光源５を代表光源５Ａとする。
【００３５】
輝度値計算処理部５２は、算出された代表輝度値に基づき、代表光源５Ａ以外の各光源であって、代表光源５Ａの周囲に配置された各光源５Ｂの輝度値を算出する。全輝度値出力部５３は、算出された代表光源５Ａの代表輝度値のデータ、算出された各光源５Ｂの全輝度値のデータを、バックライト駆動部１０に出力する。
【００３６】
図６は、４０個の単位光源ブロック６の配置関係を示す図である。図７は、４０個の単位光源ブロック６のうち左上の９個の単位光源ブロック６内の各光源５の配置関係を示す図である。
【００３７】
図６に示すように、＜１１＞〜＜１８＞、＜２１＞〜＜２８＞、・・・＜５１＞〜＜５８＞の単位光源ブロック６が配列されている。図７に示すように、例えばバックライト２の左上の９個の単位光源ブロック６について説明すると、単位光源ブロック＜１１＞中の光源（１１ａLS）、〜（１１ｉLS）の輝度値を（１１ａ）〜（１１ｉ）、単位光源ブロック＜１２＞中の光源（１２ａLS）、〜（１３ｉLS）の輝度値を（１２ａ）〜（１２ｉ）、・・・とする。代表光源５Ａ、つまり光源（１１ｅLS）、（１２ｅLS）、・・・（５８ｅLS）の輝度値は、輝度値（１１ｅ）、（１２ｅ）、・・・（５８ｅ）となる。
【００３８】
図４を参照して、バックライト駆動部１０は、全輝度値出力部５３から出力された３６０個の全輝度値を用いて、全光源５をそれぞれ駆動するドライバ（１１ａDRV）、（１１ｂDRV）、・・・（５８ｉDRV）を含む。
【００３９】
本実施形態に係る全輝度値出力部５３は、例えば、左上の単位光源ブロック＜１１＞の中の、左上の光源（１１ａLS）に、３６０個の全輝度値のデータを出力する。例えば、全輝度値出力部５３は、３６０個の全輝度値のデータのそれぞれに、各光源５のアドレスデータ等を含むヘッダを付加すれば、各ドライバ（１１ａDRV）、（１１ｂDRV）、・・・（５８ｉDRV）にそれぞれの輝度値のデータを行き渡らせることができる。
【００４０】
しかしながら、全輝度値出力部５３は、各単位光源ブロック＜１１＞、＜１２＞、・・・＜５８＞ごとに、それら各単位光源ブロックに含まれる９個の輝度値のデータを、各ドライバ（１１ａDRV）、（１２ａDRV）、・・・（５８ａDRV）にそれぞれ出力してもよい。この場合、例えば、単位光源ブロック＜１１＞に着目すると、ドライバ（１１ａDRV）、（１１ｂDRV）、（１１ｃDRV）、・・・という順序で、各輝度値（１１ａLS）、（１１ｂLS）、（１１ｃLS）、・・・がそれぞれ入力されていく。
【００４１】
あるいは、全輝度値出力部５３は、単位光源ブロック＜１１＞〜＜１８＞、＜２１＞〜＜２８＞、・・・＜５１＞〜＜５８＞ごとに、すなわち５個のグループに分けて、各輝度値のデータを出力してもよい。
【００４２】
なお、これらブロック輝度値計算処理部５１、輝度値計算処理部５２、全輝度値出力部５３等は、ＣＰＵ（Central Processing Unit）、ＲＡＭ（Random Access Memory）、ＲＯＭ（Read Only Memory）等のハードウェア、あるいは、ＦＰＧＡ（Field Programmable Gate Array）、ＡＳＩＣ（Application Specific Integrated Circuit）等のハードウェアを用いて計算処理が実行されるように構成される。ドライバは、典型的にはＩＣによるハードウェアで構成される。また、ドライバによる各輝度の駆動方式として、典型的にはＰＷＭ（Pulse Width Modulation）が用いられるが、これに限られない。
【００４３】
また、これらブロック輝度値計算処理部５１、輝度値計算処理部５２、全輝度値出力部５３等は、映像信号に含まれる同期信号（垂直及び水平）、その他クロック信号に基づいて処理を実行する。
【００４４】
次に、以上のように構成されたバックライト２の動作を説明する。
【００４５】
ブロック輝度値計算処理部５１は、映像信号から検出された輝度信号に応じた代表光源５Ａの輝度値（１１ｅ）、（１２ｅ）、・・・（５８ｅ）を設定する。例えば、輝度信号が大きいほど、代表光源５Ａの輝度も高くなるように設定される。
【００４６】
輝度値計算処理部５２は、算出された代表光源５Ａの各代表輝度値（１１ｅ）、（１２ｅ）、・・・（５８ｅ）に基づき、各光源５Ｂの輝度値を内挿及び外挿により算出する。
【００４７】
例えば、図７に示した例で説明すると、単位光源ブロック＜１１＞の（ａ）、（ｂ）の輝度値、（ａ）、（ｄ）の輝度値は、外挿により算出される。光源（１１ａLS）、の位置は、代表光源（１１ｅLS）及び（１２ｅLS）を結ぶ直線の延長線上にある。例えば輝度値（１１ａ）は、実線の矢印Ａにしたがい、単位光源ブロック＜１１＞及び＜１２＞の代表輝度値（１１ｅ）及び（１２ｅ）に基づく外挿により算出される。また、例えば輝度値（１１ｃ）は、破線の矢印Ｂにしたがい、上記外挿計算の結果得られた（１１ｂ）及び（１２ａ）に基づく内挿により算出される。
【００４８】
以下、単位光源ブロック＜１１＞、＜１２＞、・・・＜５８＞の代表輝度値を、単に（１１）、（１２）、・・・（５８）と表す。
【００４９】
下記に、外挿及び内挿の計算の例を示した。"ｆ"は、関数を表し、外挿の補正関数である。線形外挿の場合、ｆ（ｘ）＝ｘとなる。下記の計算式で、例えば（２２）−（１１）に１／３を乗じる理由は、代表光源（２２ｅLS）及び（１１ｅLS）間の距離が、１つの光源５の３つ分の距離だからである。
【００５０】
＜外挿計算の例＞
（１１ａ）＝ｆ（（１１）−｛（２２）−（１１）｝／３）
（１１ｂ）＝ｆ（（１１）−｛（２１）−（１１）｝／３）
（１１ｄ）＝ｆ（（１１）−｛（１２）−（１１）｝／３）
（１２ａ）＝ｆ（（１２）−｛（２３）−（１２）｝／３）
（１２ｂ）＝ｆ（（１２）−｛（２２）−（１２）｝／３）
（１２ｃ）＝ｆ（（１２）−｛（２１）−（１２）｝／３）
（２１ｇ）＝ｆ（（２１）−｛（１２）−（２１）｝／３）
（５８ｉ）＝ｆ（（５８）−｛（４７）−（５８）｝／３）。
【００５１】
＜内挿計算の例＞
（１１ｃ）＝ｆ（（１１ｂ）＋｛（１２ａ）−（１１ｂ）｝／２）
（１１ｇ）＝ｆ（（１１ｄ）＋｛（２１ａ）−（１１ｄ）｝／２）
（１１ｉ）＝ｆ（（１１）＋｛（２２）−（１１）｝／３）
（２２ａ）＝ｆ（（１１）＋｛（２２）−（１１）｝・２／３）
（２１ｈ）＝ｆ（（２１）＋｛（３１）−（２１）｝／３）。
【００５２】
関数ｆは、一次関数に限られず、二次以上の関数でもよいし、指数関数、対数関数、双曲線関数、三角関数、またはその他の関数であってもよい。
【００５３】
図８は、外挿及び内挿による補正関数ｆ（ｘ）を示す図である。縦軸が輝度値（代表輝度値及びそれら以外の輝度値）であり、横軸が、例えば単位光源ブロック＜１１＞、＜１２＞、＜１３＞の各代表光源５Ａ及びそれら以外の光源５Ｂ（図５参照）の輝度値の横方向の列の位置に対応する。
【００５４】
外挿及び内挿の計算による計算値ｆ（ｘ）、あるいはｆ（ｘ）＝ｘにより、光源５の各輝度値が設定される場合の方が、単位光源ブロック６（＜１１＞、＜１２＞、＜１３＞）ごとに輝度値が設定される場合より急峻な輝度変化が抑えられ、輝度変化が滑らかになっているのが分かる。
【００５５】
以上のように、発光輝度設定部８は、単位光源ブロック６ごとの代表輝度値に基づき、単位光源ブロック６間の境界部分での急峻な輝度変化を緩和するように、代表光源５Ａ以外の光源の各輝度値を設定することができる。
【００５６】
次に、図９に示す比較例を用いて、単位光源ブロック１０６に含まれる光源１０５の数と、その光源１０５全体の光による液晶パネル１０４上での照射面積Ｓについて説明する。
【００５７】
各光源１０５から液晶パネル１０４に出射される光は拡散光であるので、単位光源ブロック１０６と液晶パネル１０４との距離が小さくなると、各光源１０５からの光の液晶パネル１０４上での照射面積Ｓは小さくなる。従って、単位光源ブロック１０６に含まれる光源１０５全体の光による液晶パネル１０４上での照射面積Ｓも小さくなる。その場合、単位光源ブロック１０６に含まれる光源１０５の数が増やされれば、小さくなった照射面積Ｓが所望の面積となり得る。
【００５８】
図９においては、単位光源ブロック１０６と液晶パネル１０４との距離がｔ1の場合、単位光源ブロック１０６に配置された１個の光源１０５からの光により、所望の照射面積Ｓが確保されている。単位光源ブロック１０６と液晶パネル１０４との距離が、ｔ1より小さいｔ2の場合には、単位光源ブロック１０６に配置された４個の光源１０５全体からの光により、所望の照射面積Ｓが確保されている。さらに、単位光源ブロック１０６と液晶パネル１０４との距離が、ｔ2より小さいｔ3の場合には、単位光源ブロック１０６に配置された９個の光源１０５全体からの光により、所望の照射面積Ｓが確保されている。つまり、単位光源ブロック１０６と液晶パネル１０４との距離が小さくなればなるほど、所望の照射面積Ｓが確保されるためには、単位光源ブロック１０６に含まれる光源１０５の数は多くなければならない。
【００５９】
図１０は、図９に示した９個の光源１０５を含む単位光源ブロック１０６が、３つ並んで液晶パネル１０４に光を出射させている様子を示した図である。図９に示したのと同様に、単位光源ブロック１０６と液晶パネル１０４との距離はｔ3である。
【００６０】
図１０（ａ）は、３つ並んだ単位光源ブロック１０６に含まれる各光源１０５からの光の輝度がほぼ最大値となる場合における、３つ並んだ単位光源ブロック１０６全体からの光の、液晶パネル１０４上での照射領域における光の強度を示したグラフである。図１０（ｂ）も、３つ並んだ単位光源ブロック１０６全体からの光の、液晶パネル１０４上での照射領域における光の強度を示したグラフである。図１０（ｂ）では、３つ並んだ単位光源ブロック１０６のうち、中央の単位光源ブロック１０６に含まれる各光源１０５からの光の輝度は、ほぼ最大値となっている。また、３つ並んだ単位光源ブロック１０６のうち、中央の単位光源ブロック１０６の両隣の単位光源ブロック１０６に含まれる各光源１０５からの光の輝度は、最大値に対してほぼ５０パーセントの値となっている。
【００６１】
図１０（ａ）の場合、そのグラフに示すように、３つ並んだ単位光源ブロック１０６全体からの光の、液晶パネル１０４上での照射領域における光の強度は、最大値でほぼ均一になる。
【００６２】
図１０（ｂ）の場合、３つ並んだ単位光源ブロック１０６全体からの光の、液晶パネル１０４上での照射領域における光の強度は、そのグラフに示すような形となる。つまり、液晶パネル１０４上において、中央の単位光源ブロック１０６からの光を受ける領域では、中央の単位光源ブロック１０６から最大値の強度となる光を受け、上記領域の周囲においては、中央の単位光源ブロック１０６の両隣の単位光源ブロック６から、最大値より小さい強度の光を受ける。この場合、液晶パネル１０４の画面においては、３つ並んだ単位光源ブロック１０６の中央の単位光源ブロック１０６からの光を受ける領域と、その両隣の単位光源ブロック１０６からの光を受ける領域とで輝度が異なって表示される。
【００６３】
図１１は、液晶パネル１０４の画面１１２を示す平面図である。図１１では、上記３つ並んだ単位光源ブロック１０６全体からの光の、液晶パネル１０４上での照射領域における光の強度が、図１０（ｂ）のグラフになる場合における、画面１１２においての輝度を模式的に示している。
【００６４】
図１０（ｂ）のグラフに示すように、３つ並んだ単位光源ブロック１０６の、中央の単位光源ブロック１０６とその両隣の単位光源ブロック１０６との境界部分における光の強度は急峻に変化している。このため、各単位光源ブロック１０６からの光による、画面１１２においての輝度も急峻に変化してしまう。そのため画面１１２において、図１１に示すように、輝度変化が段階的に表示されてしまう可能性がある。
【００６５】
このような問題を解決するために、例えば３６０個の１つ１つの光源の輝度値を計算する方式では、リアルタイム処理のソフトウェアによる処理能力が問題となる。
【００６６】
これに対し、本実施形態のバックライト２では、図１２に示すようにそのような隣り合う単位光源ブロック６の境界での急峻な輝度変化を緩和することができる。また、内挿及び外挿の計算処理は、簡単なハードウェアにより主に実現することができるので、処理時間を大きく改善でき、単位光源ブロック６内での光源５の数を容易に増加させることができる。
【００６７】
図１３は、他の実施形態に係る表示装置の制御部の主要部を示すブロック図である。図９において、図４に示した実施形態に係るブロックと同様のものは説明を簡略化または省略し、異なる点を中心に説明する。
【００６８】
この表示装置の制御部では、バックライト駆動部６０に含まれるドライバの数が減らされた例を示しており、例えば単位光源ブロックごとに１つのドライバ（１１DRV）、（１２DRV）、・・・（５８DRV）が設けられている。つまり、図４に示した実施形態では、ドライバは３６０個設けられていたが、図１３に示した実施形態では４０個のドライバが設けられている。例えば１つのドライバが、発光輝度設定部８で設定された各光源５Ａ及び５Ｂ（図５参照）の輝度値を用いて、各光源５Ａ及び５Ｂを駆動する。
【００６９】
表示装置の制御部では、例えば映像信号に含まれる垂直同期信号（フレーム同期信号）が検出され、検出された垂直同期信号が発光輝度設定部８に入力され、周波数変換器５４を介してバックライト駆動部に入力される。周波数変換器５４は、時分割処理のために、垂直同期信号に基づき得られるパルス信号の周波数（垂直同期周波数）を、その時分割数分の周波数に増やしたパルス信号を生成する。
【００７０】
なお、図９において、発光輝度設定部８に含まれるブロック輝度値計算処理部５１、輝度値計算処理部５２、全輝度値出力部５３等のブロック構成は、図４に示した形態と実質的に同じである。これらブロック輝度値計算処理部５１、輝度値計算処理部５２、全輝度値出力部５３は、垂直同期信号、その他クロック信号等に基づいて処理を実行する。
【００７１】
各ドライバ（１１DRV）、（１２DRV）、・・・（５８DRV）は、全輝度値出力部５３から出力された、４０グループの９個ずつの輝度値を用いて、各光源（１１ａLS）、（１１ｂLS）、・・・（５８ｉLS）を駆動する。例えば、ドライバ（１１DRV）に着目すると、ドライバ（１１DRV）は、周波数変換器５４により変換された周波数のパルス信号のタイミングに応じて、時分割で各光源（１１ａLS）、（１１ｂLS）、・・・（１１ｉLS）を駆動する。
【００７２】
このような時分割駆動により、ドライバの数を減らすことができ、コストを削減することができる。
【００７３】
本発明に係る実施の形態は、以上説明した実施の形態に限定されず、他の種々の実施形態が考えられる。
【００７４】
上記実施形態では、代表光源５Ａは、１つの単位光源ブロック６に１つとされたが、２つ以上であってもよい。例えば、単位光源ブロック＜１１＞に着目して説明すると、光源（１１ｂLS）及び（１１ｅLS）の２つ、あるいは、光源（１１ｂLS）、（１１ｅLS）及び（１１ｈLS）の３つが代表光源とされてもよい。あるいは、例えば１つの単位光源ブロック６内に９個より多い光源５が含まれる場合に、設計者は、適宜、代表光源の数、位置を設定することができる。
【００７５】
本実施形態に係る表示装置が搭載される電子機器としては、例えば液晶ＴＶ、ＰＣ（Personal Computer）、ＰＤＡ（Personal Digital Assistant）、携帯電話機、カーナビゲーションシステム等が挙げられる。
【図面の簡単な説明】
【００７６】
【図１】本発明の一実施形態に係る表示装置の構成を示す図である。
【図２】バックライトの構成を示す平面図である。
【図３】表示装置の制御部の構成を示すブロック図である。
【図４】図３に示した発光輝度設定部及びバックライト駆動部等の構成を示すブロック図である。
【図５】１つの単位光源ブロック内の代表光源とそれ以外の光源との配置関係を示す平面図である。
【図６】４０個の単位光源ブロックの配置関係を示す図である。
【図７】４０個の単位光源ブロックのうち左上の９個の単位光源ブロック内の各光源の配置関係を示す図である。
【図８】図８は、外挿及び内挿による補正関数ｆ（ｘ）を示す図である。
【図９】単位光源ブロックに含まれる光源の数と、その光源全体の光による液晶パネル上での照射面積について説明するための図である。
【図１０】図９に示した９個の光源を含む単位光源ブロックが、３つ並んで液晶パネルに光を出射するときの光の強度（あるいは輝度）を示すグラフである。
【図１１】液晶パネルの画面を示す平面図である。
【図１２】図１０に示した３つ並んだ単位光源ブロックに含まれる各光源を、本実施形態に係る光源とした場合における、光の強度（あるいは輝度）を示すグラフである。
【図１３】他の実施形態に係る表示装置の制御部の主要部を示すブロック図である。
【符号の説明】
【００７７】
２…バックライト
３…制御部
４…液晶パネル
５…光源
５Ａ…代表光源
５Ｂ…代表光源以外の光源
６…単位光源ブロック
８…発光輝度設定部
９…液晶パネル駆動制御部
１０、６０…バックライト駆動部
５１…ブロック輝度値計算処理部
５２…輝度値計算処理部
５３…全輝度値出力部
１００…表示装置
【図１】
2010091729.tif 000003
【図２】
2010091729.tif 000004
【図３】
2010091729.tif 000005
【図４】
2010091729.tif 000006
【図５】
2010091729.tif 000007
【図６】
2010091729.tif 000008
【図７】
2010091729.tif 000009
【図８】
2010091729.tif 000010
【図９】
2010091729.tif 000011
【図１０】
2010091729.tif 000012
【図１２】
2010091729.tif 000013
【図１３】
2010091729.tif 000014
【図１１】
2010091729.tif 000015